(57)【要約】【課題】複数の表示モード間で表示モードの切り替えを行った場合でも、各表示モード毎に対応する共通電極あるいはソース電極に対する最適印加電圧を再設定し、フリッカの発生を抑制して常に高い表示品位を維持することができるアクティブマトリクス型表示装置を提供する。【解決手段】液晶表示装置１０は、液晶表示パネル１１、行電極駆動回路（走査信号線駆動回路）１２、列電極駆動回路（ソース信号線駆動回路）１３、電源回路１４、共通電極駆動回路１５およびメモリ（記憶手段）１６を備えている。メモリ１６は、液晶表示装置１０が有している反射型モードおよび透過型モードという各表示モードのそれぞれに対応するソース電極電圧に対する最適印加電圧を記憶している。【選択図】　図１
2004117749.tif 000002
【特許請求の範囲】
【請求項１】
表示パネルと、該表示パネルを挟むように配置された共通電極とソース電極とを備えており、複数の表示モードを有するアクティブマトリクス型表示装置において、
上記各表示モード毎に、上記共通電極に印加されている電圧の電圧波形の中心と上記ソース電極に印加されている電圧の電圧波形の中心とを一致させるために、電圧波形をシフトする側の電極に印加する最適な電圧値を記憶する記憶手段と、
上記記憶手段から各表示モードに対応する上記最適な電圧値を読み出して、上記電圧波形をシフトする側の電極に印加する電圧印加手段とを備えていることを特徴とするアクティブマトリクス型表示装置。
【請求項２】
上記記憶手段は、共通電極駆動回路に接続されており、上記各表示モード毎に、共通電極に印加される電圧波形をシフトするための複数の電圧値を記憶していることを特徴とする請求項１に記載のアクティブマトリクス型表示装置。
【請求項３】
上記記憶手段は、ソース電極駆動回路に接続されており、上記各表示モード毎に、ソース電極に印加される電圧波形をシフトするための複数の電圧値を記憶していることを特徴とする請求項１に記載のアクティブマトリクス型表示装置。
【発明の詳細な説明】
【０００１】
【発明の属する技術分野】
本発明は、複数の表示モードでの画像表示が可能なアクティブマトリクス型表示装置であって、特に、フリッカの発生を抑制して表示品位を向上させることができるアクティブマトリクス型表示装置に関するものである。
【０００２】
【従来の技術】
液晶表示装置は、液晶材料の長寿命化を考慮すれば、交流駆動されることが好ましい。
【０００３】
しかし、図９（ａ）に示すように、ゲート・ドレイン間に寄生容量Ｃｇｄがあることで、図９（ｂ）に示すように、ソースに書き込んだ電圧レベルＶｓは、ゲート電極がＯＮ（Ｖｇｏｎ）からＯＦＦ（Ｖｇｏｆｆ）に変化する際に引き込まれて変動（ΔＶ）し、結果としてＶｄとなる。この変動値は、次式で表される。
ΔＶ＝Ｃｇｄ／（Ｃｌｃ＋Ｃｃｓ＋Ｃｇｄ）×（Ｖｇｏｎ−Ｖｇｏｆｆ）
（ただし、Ｃｌｃは液晶容量、Ｃｃｓは蓄積容量であるとする）
したがって、上記ΔＶを考慮して、共通電極電圧（Ｖｃｏｍ）と、ソース側電圧Ｖｓのセンター値をずらして調整する必要が生じる。
【０００４】
各画素における液晶層には、共通電極電圧（Ｖｃｏｍ）および画素電極電圧（Ｖｄ）の電位差が液晶駆動電圧として与えられるため、共通電極電圧の電圧波形の中心と画素電極を構成するソース電極電圧の電圧波形の中心とにずれΔＶが生じると、電圧波形における正側と負側とで同じ振幅にならないため液晶駆動電圧が変動し、フリッカが発生する。
【０００５】
また、液晶容量Ｃｌｃは、黒表示時と白表示時とで容量値が異なるため、発生するΔＶの値も異なり、さらに調整が必要となる。
【０００６】
そこで、図１０に示した階調表示時の共通電極に印加される電圧（Ｖｃｏｍ）の電圧波形の中心（Ｖｃｏｍ１）とソース電極に印加される電圧（Ｖｓ）の電圧波形の中心（Ｖｓ１またはＶｓ２）とが一致するように、共通電極に印加される電圧波形あるいはソース電極に印加される電圧波形をシフトさせて、液晶駆動電圧の変動に起因するフリッカの発生を防止する必要がある。
【０００７】
従来の液晶表示装置５０は、図１１に示すように、共通電極駆動回路５３に接続させた可変抵抗５１を備えたオフセット回路５２を備えている。
【０００８】
上記ΔＶの値は、パネルの製造プロセスのばらつき等によって変動するため、このオフセット回路５２の可変抵抗５１を個別に調整することで、共通電極電圧の電圧波形の中心とソース電極電圧の電圧波形の中心とが一致するように、共通電極に対して最適印加電圧を印加している。これにより、共通電極電圧の電圧波形をシフトすることができ、フリッカの発生を防止することができる。
【０００９】
【発明が解決しようとする課題】
しかしながら、上述のような従来の液晶表示装置５０は、以下に示すような問題点を有している。
【００１０】
すなわち、近年、明るい場所では消費電力を削減するために、バックライト（以下、ＢＬと示す）をＯＦＦして外部光を利用して表示する反射型モード、暗い場所ではＢＬを利用して表示する透過型モード等の複数の表示モードを備えた半透過型の液晶表示装置が提案されている。
【００１１】
透過型モード等の１つの表示モードで画像表示を行う液晶表示装置については、表示モードの切り替えがないため、一旦、最適印加電圧を設定すると特に問題は生じない。しかし、複数のモードでの表示を行うことが可能な液晶表示装置の場合には、表示モードを切り替えると、光学伝播経路の違いから液晶層容量Ｃｌｃが異なってくるため、ソース電極電圧の電圧波形の中心もシフトする。
【００１２】
例えば、図１０に示すように、透過型モードによる表示を行う場合におけるシフト前の、共通電極電圧（Ｖｃｏｍ）の電圧波形の中心Ｖｃｏｍ１とソース電極電圧（Ｖｓ）の電圧波形の最適値の中心をＶｓ１とすると、表示モードを反射型モードに切り替えた場合には、ソース電極電圧の電圧波形の最適値の中心Ｖｓ１がＶｓ２にシフトする。このため、切り替え前の表示モードに合わせた設定状態では、最適設定値もシフトしてしまうため、フリッカが発生してしまう。
【００１３】
このような、表示モードの切り替えに伴う電圧波形の中心の変動、すなわち最適印加電圧の変動は０．１Ｖ〜０．２Ｖに及び、無視することができない。このため、表示モードの切り替えに伴うフリッカの発生を防止するためには、表示モード切り替え後に改めてＶｃｏｍ１とＶｓ２とを一致させるために印加する最適印加電圧を再設定する必要がある。
【００１４】
しかしながら、従来の液晶表示装置５０では、フリッカ防止用の最適印加電圧の生成のために搭載したオフセット回路５２において、可変抵抗５１の抵抗値を調整して一度最適印加電圧を設定すると、液晶表示装置５０の動作中に可変抵抗５１の抵抗値を再調整して最適印加電圧を変更することはできない。よって、液晶表示装置５０の動作中に行われる表示モード切り替えに伴うフリッカの発生を防止することはできない。
【００１５】
本発明は、上記の問題点に鑑みてなされたものであり、その目的は、複数の表示モード間で表示モードの切り替えを行った場合でも、各表示モード毎に対応する共通電極あるいはソース電極に対する最適印加電圧を再設定し、フリッカの発生を抑制して常に高い表示品位を維持することができるアクティブマトリクス型表示装置を提供することにある。
【００１６】
【課題を解決するための手段】
本発明のアクティブマトリクス型表示装置は、上記の課題を解決するために、表示パネルと、該表示パネルを挟むように配置された共通電極とソース電極とを備えており、複数の表示モードを有するアクティブマトリクス型表示装置において、上記各表示モード毎に、上記共通電極に印加されている電圧の電圧波形の中心と上記ソース電極に印加されている電圧の電圧波形の中心とを一致させるために、電圧波形をシフトする側の電極に印加する最適な電圧値を記憶する記憶手段と、上記記憶手段から各表示モードに対応する上記最適な電圧値を読み出して、上記電圧波形をシフトする側の電極に印加する電圧印加手段とを備えていることを特徴としている。
【００１７】
上記の構成によれば、各表示モード毎に、共通電極電圧の電圧波形の中心とソース電極電圧の電圧波形の中心とを一致させるために最適な電圧値を記憶手段から読み出して、それを共通電極あるいはソース電極に印加することで、アクティブマトリクス型表示装置の動作中に表示モードが切り替わっても、フリッカの発生を抑え、常に高い表示品位を維持することができる。
【００１８】
例えば、アクティブマトリクス型表示装置が液晶表示装置である場合には、表示パネル中の液晶層を駆動する液晶駆動電圧は、実質的に共通電極に印加されている電圧とソース電極に印加されている電圧とで定まる。このため、共通電極電圧の電圧波形の中心とソース電極電圧の電圧波形の中心とが一致しない場合には、液晶駆動電圧として与えられる電圧波形が乱れ、フリッカが発生して表示品位を低下させてしまう。特に、反射モード、透過モード等の表示モードの切り替え時においては、表示モードの切り替えに伴って、共通電極電圧の電圧波形の中心とソース電極電圧の電圧波形の中心とが一致しなくなり、表示品位を低下させる要因となっていた。
【００１９】
そこで、本発明のアクティブマトリクス型表示装置では、表示モードごとに、フリッカの発生を防止するために共通電極あるいはソース電極に印加する最適印加電圧を記憶している。
【００２０】
これにより、表示モードの切り替える際には、電圧印加手段が記憶手段から該最適印加電圧を読み出して、電圧波形をシフトする方の電極に印加することで、各電圧波形の中心を一致させ、表示パネルの駆動電圧を適正な電圧波形に保つことができる。よって、表示モードの切り替えに伴うフリッカの発生を抑え、常に高い表示品位を維持することができる。
【００２１】
上記記憶手段は、共通電極駆動回路に接続されており、上記各表示モード毎に、共通電極に印加される電圧波形をシフトするための複数の電圧値を記憶していることがより好ましい。
【００２２】
これにより、共通電極電圧の電圧波形の中心とソース電極電圧の電圧波形の中心とが一致しない場合でも、ソース電極電圧の電圧波形の中心に対して、共通電極に最適印加電圧を印加して、共通電極電圧の電圧波形の中心を一致させることで、表示モードの切り替えに伴うフリッカの発生を抑制し、常に高い表示品位を保つことができる。
【００２３】
上記記憶手段は、ソース電極駆動回路に接続されており、上記各表示モード毎に、ソース電極に印加される電圧波形をシフトするための複数の電圧値を記憶していることがより好ましい。
【００２４】
これにより、共通電極電圧の電圧波形の中心とソース電極電圧の電圧波形の中心とが一致しない場合でも、共通電極電圧の電圧波形の中心に対して、ソース電極に最適印加電圧を印加して、ソース電極電圧の電圧波形の中心を一致させることで、表示モードの切り替えに伴うフリッカの発生を抑制し、常に高い表示品位を保つことができる。
【００２５】
なお、この場合には、共通電極に印加されている電圧は交流電圧である必要はなく、直流電圧であってもよい。ソース電極電圧の電圧波形の中心が共通電極に印加されている直流電圧値と一致するように、ソース電極電圧の電圧波形をシフトさせることで、上記と同様に、フリッカの発生を抑制できる。
【００２６】
【発明の実施の形態】
本発明のアクティブマトリクス型表示装置の一実施形態を示す液晶表示装置について、図１〜図８に基づいて説明すれば以下のとおりである。
【００２７】
本実施形態の液晶表示装置１０は、図１に示すように、液晶表示パネル１１、行電極駆動回路（走査信号線駆動回路）１２、列電極駆動回路（ソース信号線駆動回路、電圧印加手段）１３、電源回路１４、共通電極駆動回路（電圧印加手段）１５およびメモリ（記憶手段）１６を備えている。
【００２８】
液晶表示パネル１１は、１組のガラス基板の間に液晶を封止して構成されている。そして、液晶表示パネル１１を挟むように配置された図示しない共通電極とソース電極とにそれぞれ印加される電圧の電位差によって決定される液晶駆動電圧を、マトリクス状に配置された各画素における液晶層に対して印加することにより表示が行われる。
【００２９】
行電極駆動回路１２は、複数のゲート信号線に接続されており、液晶表示パネル１１の各画素に配置されたＴＦＴ（Ｔｈｉｎ　Ｆｉｌｍ　Ｔｒａｎｓｉｓｔｏｒ）を構成する３端子（ゲート、ソース、ドレイン）のうち、ゲート電極に電圧を印加する。
【００３０】
列電極駆動回路１３は、上記ゲート信号線に直交する複数のソース信号線に接続されており、ＴＦＴを構成する３端子のうち、ソース電極に電圧を印加する。また、列電極駆動回路１３は、ＬＣＤＣ（Ｌｉｑｕｉｄ−ｃｒｙｓｔａｌ　Ｄｉｓｐｌａｙ　Ｃｏｎｔｒｏｌｌｅｒ）を内蔵しており、液晶駆動電圧を制御している。
【００３１】
電源回路１４は、行電極駆動回路１２、列電極駆動回路１３および共通電極駆動回路１５に接続されており、各駆動回路に対して電源供給を行う。
【００３２】
共通電極駆動回路１５は、共通電極駆動配線と接続されており、液晶表示パネル１１を挟んで画素電極とは反対側に配置された共通電極に電圧を印加する。
【００３３】
メモリ１６は、コマンドインターフェースによるアクセスが可能な不揮発性のメモリであって、液晶表示装置１０が有している反射型モードおよび透過型モードという各表示モードのそれぞれに対応するソース電極電圧に対する最適印加電圧を記憶している。
【００３４】
本実施形態の液晶表示装置１０は、以上のような構成により、反射型モードから透過型モードへの表示モードの切り替え、あるいはその逆の切り替えが行われた場合に、切り替え後の表示モードにおいて、共通電極電圧の電圧波形の中心とソース電極電圧の電圧波形の中心とを一致させるための最適印加電圧をメモリ１６から選択して読み出すことができる。これにより、ソース電極電圧に対してこの最適印加電圧を印加して、ソース電極電圧の電圧波形をシフトさせることにより、容易に共通電極電圧の電圧波形の中心とソース電極電圧の電圧波形の中心とを一致させることができる。この結果、表示モード切り替え時における液晶駆動電圧の変動を防止して、フリッカの発生を抑制し、表示品位を向上させることができる。
【００３５】
また、このようにソース電極電圧側をシフトさせる場合には、共通電極電圧は直流電圧であってもよい。このような場合には、ソース電極電圧の電圧波形の中心と直流電圧とが一致するようにソース電極電圧の電圧波形をシフトすることで、上記と同様にフリッカの発生を抑え、表示品位を向上させることができる。
【００３６】
なお、シフトさせる電圧波形は、ソース電極側の電圧波形に限定されるものではなく、共通電極側の電圧波形であってもよい。
【００３７】
また、本実施形態の液晶表示装置１０は、複数の最適印加電圧を記憶することが可能なメモリ１６を搭載している。これにより、上述した反射型モードおよび透過型モード以外の表示モードを備えた液晶表示装置であっても、その表示モードに対応する最適印加電圧を記憶させ、該表示モードに切り替えられた際に対応する最適印加電圧を読み出すことができる。この結果、従来の可変抵抗を備えたオフセット回路等の複雑な回路を各表示モード毎に設けることなく、容易に共通電極電圧の電圧波形の中心とソース電極電圧の電圧波形の中心とを一致させることができる。よって、３種類以上の表示モードを備えた液晶表示装置であっても、上記と同様に、フリッカの発生を抑えて表示品位を向上させることができる。
【００３８】
ここで、各表示モード毎に対応する最適ソース電極電圧を記憶し、モード切り替えに応じて最適ソース電極電圧を教えるメモリへのアクセス手段について説明する。ここでは、不揮発性メモリへのデータ転送方式として、一般的な３線シリアル方式を一例として挙げて説明する。
【００３９】
例えば、図２（ａ）に示すように、メモリ〜ソース電極回路間にチップセレクト（ＣＳ）と、３種類の信号線（ＣＫ，ＤＩ，ＤＯ）を用意する。
【００４０】
メモリはアドレス空間１・２を備えており、表示モード１の情報はアドレス空間１に記憶し、表示モード２の情報はアドレス空間２に記憶しておくことができるものとする。
【００４１】
ここで、図２（ｂ）に示すように、それぞれのアドレス空間に格納できるデータを８ビットとすると、電圧の可変範囲が０〜５Ｖである場合には、その電圧レベルを２の８乗である１２８分割して、表示モードに対応した値として記憶することができる。
【００４２】
まず、最適印加電圧をメモリに記憶させる処理について、図３を用いて説明する。なお、この処理は表示装置製造段階において一度だけ行われる。
【００４３】
表示モード１の最適ソース電極電圧Ｖｓ＿ｏｐｔ１をメモリに記憶させる場合は、ＣＳ信号によって不揮発性メモリを選択した後、クロック（ＳＫ）によってデータライン（ＤＩ）からＷＲＩＴＥを示すデータ”０１０１”とアドレスデータ（例えば”０００００００１”）、および記憶させたい最適値電圧データである８ビットの信号を送信する。
【００４４】
これにより、表示モード１の最適ソース電極電圧Ｖｓ＿ｏｐｔ１を、メモリのアドレス空間１に記憶することができる。
【００４５】
表示モード２の場合も同様に、最適ソース電極電圧Ｖｓ＿ｏｐｔ２をメモリのアドレス空間２に記憶することができる。
【００４６】
次に、最適印加電圧をメモリから読み出す方法について、図４を用いて説明する。なお、これは表示モードの変更毎に必要となる処理で、表示装置の動作中頻繁に行われる。
【００４７】
表示モード１の最適ソース電極電圧Ｖｓ＿ｏｐｔ１をメモリから読み出す場合は、ＣＳ信号によって不揮発性メモリを選択した後、クロック（ＳＫ）によってデータライン（ＤＩ）からＲＥＡＤを示すデータ”０１１０”とアドレスデータ（例えば”０００００００１”）を送信する。すると、メモリから該当アドレスに記憶されたデータＶｓ＿ｏｐｔ１が、データライン（ＤＯ）からクロックＳＫに同期して出力されるので、ソース駆動回路側でこのデータを取り込むことができる。
【００４８】
表示モード２の最適ソース電極電圧Ｖｓ＿ｏｐｔ２をメモリのアドレス空間２から読み出す場合も同様である。
【００４９】
また、ソースあるいはＣＯＭ電圧を交流駆動している場合には、データとしては、電位レベルの情報だけでもよいが、電位レベルおよび振幅情報の二つの情報を記憶させておくことがより望ましい。例えば、図５に示すように、表示モード毎に最適ソース電極電圧の最低値：Ｖｃｌおよび電圧幅：Ｖｃｗの二つの情報をメモリに記憶させ、またそれらを読み出し共通電極電圧とともに表示パネルに印加することで、最適な駆動電圧状態で動作させることが可能となる。
【００５０】
また、上述したソース駆動回路およびメモリ間のデータ送受信を制御する手法としては、本体−表示装置間がコマンド（ＣＰＵバス）インタフェース方式である場合には、データ送受信用のコマンドを設ければよいし、同期信号によるＲＧＢデータバス方式である場合には、別途、制御用の信号入力端子を設けておけばよい。
【００５１】
最後に、メモリから読み出されたデータは、図６に示すような電子ボリューム回路の電子ボリューム値として設定される。その結果、各表示モードに対応したソース駆動電圧、もしくはＣＯＭ駆動電圧が出力される。なお、図６の電子ボリューム回路は、ソース駆動電圧側を変化させたときの構成例である。
【００５２】
また、実際に各表示モードの最適値を設定する環境として、図７に示すように、制御装置であるＰＣ２０と、ＶｃｌとＶｃｗとを変更するための機能を有する信号源システム２１とを接続し、本実施形態の表示装置２２にフリッカパターンを表示させる。
【００５３】
例えば、１Ｈライン反転駆動の場合には、上記階調表示に起因するフリッカを確認しやすくするために、図８に示すように、１水平ライン毎に黒もしくは白表示と階調表示を繰り返すフリッカパターンを、信号源システム２１の表示部２２に表示させておくことが好ましい。
【００５４】
他の駆動方法の場合にはフリッカパターンは、その都度異なるものとなる。
【００５５】
信号源システム２１のＶｃｌ制御ロータリエンコーダスイッチ２３やＶｃｗ制御ロータリエンコーダスイッチ２４、内蔵された制御プログラム等を用いてＶｃｌおよびＶｃｗの値を上下させながら、表示装置２２の表示品位を確認し、最もフリッカが発生していない値を、書き込みコマンドを用いて、表示装置２２に搭載されている列電極駆動回路１３に送信して、そのときのＶｃｌとＶｃｗの値を同じく表示装置２２に搭載されているメモリ１６に記憶させる。これを各表示モード毎に行って、それぞれのＶｃｌとＶｃｗを決定する。
【００５６】
本実施形態の液晶表示装置１０は、以上のように、Ｖｓ，Ｖｃｏｍを示す電圧波形の中心を一致させることができる最適印加電圧（Ｖｃｌ，Ｖｃｗ）をメモリ１６に記憶させることができるため、表示モードを切り替えた場合でも、その表示モードに応じた最適印加電圧をメモリ１６から読み出してソース電極に印加することで、常にフリッカの発生を防止して良好な表示品位を保つことが可能となる。
【００５７】
なお、本実施形態では、本発明の適用例として、液晶表示装置１０を挙げて説明したが、本発明はこれに限定されるものではない。例えば、有機ＥＬ、プラズマディスプレイ等のアクティブマトリクス型表示装置であれば、液晶表示装置１０と同様の効果を得ることができる。
【００５８】
また、本実施形態の液晶表示装置１０は、共通電極駆動回路１５およびメモリ１６が外付けされた状態となっているが、これらはソース電極駆動回路や走査電極駆動回路に内蔵されていてもよい。
【００５９】
また、電圧波形のシフトは、表示モードに応じて行われることに限定されるものではなく、例えば、ＢＬの光照射状態に応じて行ってもよい。
【００６０】
また、本実施形態では、ソース電極電圧の最適印加電圧を各表示モードに応じて調整する例を挙げて説明したが、本発明はこれに限定されるものではない。例えば、ソース電極電圧の最適印加電圧を調整する替わりに、共通電極電圧の最適印加電圧を調整した場合でも、上記と同様の効果を得ることができる。
【００６１】
また、本実施形態では、アクティブマトリクス型表示装置のスイッチング素子としてＴＦＴを用いた例を挙げて説明したが、本発明はこれに限定されるものではなく、例えば、２端子素子であるＭＩＭ（Ｍｅｔａｌ　Ｉｎｓｕｌａｔｏｒ　Ｍｅｔａｌ）等であってもよい。
【００６２】
また、本実施形態では、メモリへのアクセス手段において上記信号線を用いているが、メモリを制御する手法（インタフェースの仕様）は他にも数多くある。よって、本発明は上述した例のみに限定されるものではなく、他の方法によっても同様の効果を得ることが可能である。
【００６３】
さらに、本実施形態では、最適ソース電極電圧を決定するのに、その最低値（Ｖｃｌ）と電圧幅（Ｖｃｗ）の二つの情報を用いる場合について説明したが、本発明はこれに限定されるものではない。例えば、最適ソース電極電圧の最高値と電圧幅の２値であったり、中心値と電圧幅の２値等の情報を用いてもよい。
【００６４】
なお、本発明は、表示モードの変更毎に上記のようなメモリへのアクセスが可能であれば、表示装置の有するコマンドインターフェース、あるいはデジタルＲＧＢなどの仕様に依存するものではない。
【００６５】
さらに、本実施形態では、ソース電極電圧および共通電極電圧がともに交流電圧である場合について説明したが、本発明はこれに限定されるものではない。例えば、共通電極電圧は、グランドに接続されている場合等のように、直流電圧であってもよい。このような場合でも、ソース電極電圧の電圧波形の中心と該直流電圧値とが一致するように、共通電極電圧あるいはソース電極電圧を調整することで、上記と同様の効果を得ることができる。
【００６６】
なお、本発明のアクティブマトリクス型表示装置は、電圧レベルの書き込み読み出しが可能な記憶装置と、光源制御装置を備えたアクティブマトリクス型表示装置において、上記光源の状態に応じて、記憶装置に予め記憶させていたソース電圧値を読み出すことで、共通電極電圧と該ソース電圧値とで決まる液晶駆動電圧が、動作中に最適値となるようなレベル変更手段を備えていることを特徴とするアクティブマトリクス型表示装置と表現することもできる。
【００６７】
さらに、本発明のアクティブマトリクス型表示装置は、電圧レベルの書き込み読み出しが可能な記憶装置と、光源制御装置を備えたアクティブマトリクス型表示装置において、該表示装置の光源の状態に応じて、記憶装置に予め記憶させていた共通電極電圧値を読み出すことで、ソース電圧と該共通電極電圧値で決まる液晶駆動電圧が、動作中に最適値となるようなレベル変更手段を備えていることを特徴とするアクティブマトリクス型表示装置と表現してもよい。
【００６８】
また、上記ソース電極駆動回路は、電子ボリューム回路を内蔵していることがより好ましい。これにより、表示パネルの駆動電圧の制御は、表示モードを切り替えるコマンドや、記憶手段から最適印加電圧の読み出し、書き込みを行うコマンド等のユーザからのコマンドに対応して行うことができ、より容易に駆動電圧の制御を行うことができる。
【００６９】
【発明の効果】
本発明のアクティブマトリクス型表示装置は、以上のように、各表示モード毎に、上記共通電極に印加されている電圧の電圧波形の中心と上記ソース電極に印加されている電圧の電圧波形の中心とを一致させるために、電圧波形をシフトする側の電極に印加する最適な電圧値を記憶する記憶手段と、上記記憶手段から各表示モードに対応する上記最適な電圧値を読み出して、上記電圧波形をシフトする側の電極に印加する電圧印加手段とを備えている構成である。
【００７０】
それゆえ、各表示モード毎に、共通電極電圧の電圧波形の中心とソース電極電圧の電圧波形の中心とを一致させるために最適な電圧値を記憶手段から読み出して、それを共通電極あるいはソース電極に印加することで、アクティブマトリクス型表示装置の動作中に表示モードが切り替わっても、フリッカの発生を抑え、常に高い表示品位を維持することができるという効果を奏する。
【００７１】
上記記憶手段は、共通電極駆動回路に接続されており、上記各表示モード毎に、共通電極に印加される電圧波形をシフトするための複数の電圧値を記憶していることがより好ましい。
【００７２】
それゆえ、共通電極電圧の電圧波形の中心とソース電極電圧の電圧波形の中心とが一致しない場合でも、ソース電極電圧の電圧波形の中心に対して、共通電極に最適印加電圧を印加して、共通電極電圧の電圧波形の中心を一致させることで、表示モードの切り替えに伴うフリッカの発生を抑制し、常に高い表示品位を保つことができるという効果を奏する。
【００７３】
上記記憶手段は、ソース電極駆動回路に接続されており、上記各表示モード毎に、ソース電極に印加される電圧波形をシフトするための複数の電圧値を記憶していることがより好ましい。
【００７４】
それゆえ、共通電極電圧の電圧波形の中心とソース電極電圧の電圧波形の中心とが一致しない場合でも、共通電極電圧の電圧波形の中心に対して、ソース電極に最適印加電圧を印加して、ソース電極電圧の電圧波形の中心を一致させることで、表示モードの切り替えに伴うフリッカの発生を抑制し、常に高い表示品位を保つことができるという効果を奏する。
【図面の簡単な説明】
【図１】本発明のアクティブマトリクス型表示装置の一実施形態に係る液晶表示装置を示すブロック図である。
【図２】（ａ）は、各表示モード毎に対応する最適ソース電極電圧を記憶し、モード切り替えに応じて最適ソース電極電圧を教えるメモリへのアクセス手段を示すブロック図であり、（ｂ）は、それぞれのアドレス空間に格納できるデータのビット数と、電圧の可変範囲とを示す図である。
【図３】最適印加電圧をメモリに記憶させる方法について説明するタイミングチャートである。
【図４】最適印加電圧をメモリから読み出す方法について説明するタイミングチャートである。
【図５】最適ソース電極電圧の最低値および電圧幅を示す波形図である。
【図６】図１の液晶表示装置の列電極駆動回路が内蔵している電子ボリューム回路を示す回路図である。
【図７】図１の液晶表示装置が備えているメモリに対して、各表示モードに対応する最適印加電圧を入力する際について説明する斜視図である。
【図８】最適印加電圧を入力する際に液晶表示装置に表示させるフリッカパターンを示す図である。
【図９】（ａ）はゲート−ドレイン間の寄生容量を示す回路図であり、（ｂ）はソース電極に書き込まれた電圧レベルの、ゲート電極のＯＮからＯＦＦへの切替えの際に生じる変動値ΔＶを示す電圧波形図である。
【図１０】共通電極電圧の電圧波形の中心とソース電極電圧の電圧波形の中心とのずれを示す電圧波形図である。
【図１１】可変抵抗を備えたオフセット回路を有する従来の液晶表示装置を示すブロック図である。
【符号の説明】
１０　　　液晶表示装置（アクティブマトリクス型表示装置）
１１　　　液晶表示パネル
１２　　　行電極駆動回路
１３　　　列電極駆動回路（電圧印加手段）
１４　　　電源回路
１５　　　共通電極駆動回路（電圧印加手段）
１６　　　メモリ（記憶手段）
２０　　　ＰＣ（アクティブマトリクス型表示装置）
２１　　　信号源システム
２２　　　表示部
２３　　　Ｖｃｌ制御ロータリエンコーダスイッチ
２４　　　Ｖｃｗ制御ロータリエンコーダスイッチ
【図１】
2004117749.tif 000003
【図２】
2004117749.tif 000004
【図３】
2004117749.tif 000005
【図４】
2004117749.tif 000006
【図５】
2004117749.tif 000007
【図６】
2004117749.tif 000008
【図７】
2004117749.tif 000009
【図８】
2004117749.tif 000010
【図９】
2004117749.tif 000011
【図１０】
2004117749.tif 000012
【図１１】
2004117749.tif 000013